(57)【特許請求の範囲】
【請求項１】
入力信号のオン・オフで動作する発光ダイオードと、受光トランジスタとからなる光絶縁素子と、
上記発光ダイオードに逆並列に接続される、直列接続された複数のダイオードを有し、シンク型又はソース型の入力のいずれでも上記発光ダイオードに電流を流すことができる半導体スイッチ手段と、
上記シンク型の入力の一方が接続される第１の入力端子と、
上記ソース型の入力の一方が接続される第２の入力端子と、
上記シンク型およびソース型の入力の他方が接続される第３の入力端子と、
シンク型の入力またはソース型の入力を選択する選択手段と、を備え、
上記選択手段は、
上記シンク型の入力が上記第１の入力端子および第３の入力端子に接続される場合、上記第２の入力端子の接続を電気的に遮断して、上記半導体スイッチ手段を介して上記発光ダイオードに電流が流れるように導通すると共に、
上記ソース型の入力が上記第２の入力端子および第３の入力端子に接続される場合、上記第１の入力端子の接続を電気的に遮断して、上記半導体スイッチ手段を介して上記発光ダイオードに流れるように導通するようにしたことを特徴とする制御装置のインターフェイス回路。
【請求項２】
入力信号のオン・オフで動作する複数の発光ダイオードを逆並列に接続すると共に、上記複数の発光ダイオードと光結合される受光トランジスタとからなる光絶縁素子と、
上記シンク型の入力の一方が接続される第１の入力端子と、
上記ソース型の入力の一方が接続される第２の入力端子と、
上記シンク型およびソース型の入力の他方が接続される第３の入力端子と、
シンク型の入力またはソース型の入力を選択する選択手段と、を備え、
上記選択手段は、
上記シンク型の入力が上記第１の入力端子および第３の入力端子に接続される場合、上記第２の入力端子の接続を電気的に遮断して、上記複数の発光ダイオードの一方を介して上記発光ダイオードに電流が流れるように導通すると共に、
上記ソース型の入力が上記第２の入力端子および第３の入力端子に接続される場合、上記第１の入力端子の接続を電気的に遮断して、上記複数の発光ダイオードの他方を介して上記発光ダイオードに流れるように導通するようにしたことを特徴とする制御装置のインターフェイス回路。
【請求項３】
発光ダイオードと受光トランジスタとからなる光絶縁素子と、上記発光ダイオードに逆並列に接続される、直列接続された複数のダイオードと、
第１の入力端子を介して上記発光ダイオードのアノード側に接続された第１のスイッチと、
第２の入力端子を介して上記発光ダイオードのカソード側に接続されると共に、上記第１のスイッチと逆論理で連動して動作する第２のスイッチと、
上記直列接続された複数のダイオードの接続部に直接又は抵抗を介して接続された第３の入力端子とを備え、
シンク型の入力が上記第１の入力端子および第３の入力端子に接続される場合、この入力が上記第３の入力端子に接続され、電源の陽極側が上記第１の入力端子に接続され、上記第１のスイッチをオン、第２のスイッチをオフされると共に、
ソース型の入力が上記第２の入力端子および第３の入力端子に接続される場合、この入力が上記第３の入力端子に接続され、電源の陰極側が上記第１の入力端子に接続され、上記第１のスイッチをオフ、第２のスイッチをオンされることを特徴とする制御装置のインターフェイス回路。
【請求項４】
出力信号を発生するトランジスタと、このトランジスタの出力端子間に電流が流れるように接続されたダイオードブリッジと、
このダイオードブリッジを構成するダイオードのアノードと他のダイオードのカソードとの接続点を少なくとも２つ有し、
上記第１の接続点に接続された第１の出力端子と、上記第２の接続点に接続された第２の出力端子とを備え、
シンク型が接続される場合、上記第２の出力端子から上記第１の出力端子に向かって上記ダイオードブリッジに電流が流れると共に、ソース型が接続される場合、上記第１の出力端子から上記第２の出力端子に向かって上記ダイオードブリッジに電流が流れるようにしたことを特徴とする制御装置のインターフェイス回路。
【発明の詳細な説明】
【０００１】
【発明の属する技術分野】
この発明は制御装置に入力したり、出力したりするインターフェイス回路（Ｉ／Ｆ回路と称する。）の改良に関するものである。
【０００２】
【従来の技術】
制御装置のＩ／Ｆ回路は、向け先が我が国等ではシンク型（電流吸い込み型）と、欧州ではソース型（電流吐き出し型）との二種類を組み込んだものがあり、この制御装置の複数の端子を、向け先に応じて作業者がジャンパー線等で上記シンク型とソース型とを切換えている。
【０００３】
かかる従来の制御装置のＩ／Ｆの回路を実開昭６４−１５４３３号公報に開示された図１０により、シンク型を図１０（ａ）で、ソース型を図１０（ｂ）によって説明する。まず、シンク型のＩ／Ｆの回路を図１０（ａ）によって説明する。図１０（ａ）において、Ｉ／Ｆの回路は、オン・オフの入力信号を発生する指令部１０と、この指令部１０からのオン・オフ信号に基づいて動作する入力Ｉ／Ｆ部１００とで構成されており、指令部１０は、オン・オフの入力信号を発生する入力信号発生部１１と、この入力信号発生部１１にベースが接続されたトランジスタ１３とから成り、トランジスタ１３のエミッタが端子Ｔ９を介して接地され、コレクタが端子Ｔ８に接続されている。なお、電源Ｅの陽極が端子Ｔ７に接続されており、この陰極が接地されている。
【０００４】
入力Ｉ／Ｆ部１００は、発光ダイオード１０３と光結合された受光トランジスタ１０５とから成るフォトカプラ１０１と、この発光ダイオード１０３の陽極に接続された端子Ｔ２と、この陰極が抵抗１５を介して接続された端子Ｔ４と、受光トランジスタ１０５のコレクタが抵抗７０を介して接続された電源Ｖと、このエミッタが接地されている。また、シンク型とソース型との切換え用の端子Ｔ１、Ｔ２、Ｔ３とが設けられている。
なお、指令部１０の端子Ｔ７と入力Ｉ／Ｆ部１００の端子Ｔ１と、同様に、端子Ｔ８と端子Ｔ３と、端子Ｔ９と端子Ｔ５とが電線で接続されている。
【０００５】
ここで、シンク型の入力Ｉ／Ｆ部１００を得るために、端子Ｔ１と端子Ｔ２とをジャンパー線１８で、端子Ｔ３と端子Ｔ４とをジャンパー線１９で短絡されている。
【０００６】
次に、ソース型のＩ／Ｆの回路を図１０（ｂ）によって説明する。図１０（ｂ）において、Ｉ／Ｆの回路は、オン・オフの入力信号を発生する指令部３０と、上記と同様な入力Ｉ／Ｆ部１００とで構成されており、指令部３０は、オン・オフの入力信号を発生する入力信号発生部１１と、この入力信号発生部１１にベースが接続されたトランジスタ２３とから成り、トランジスタ２３のエミッタが端子Ｔ７と、電源Ｅとを介して接地されている。コレクタが端子Ｔ８に接続されている。なお、入力Ｉ／Ｆ部１００は上記と同様に構成されているが、シンク型の入力Ｉ／Ｆ部１００を得るために、端子Ｔ２と端子Ｔ３とをジャンパー線１８で短絡させており、端子Ｔ４と端子Ｔ５とをジャンパー線１９で短絡されている。
【０００７】
上記のように構成されたシンク側のＩ／Ｆ回路を含む制御装置の動作を図１０（ａ）によって説明する。まず、入力信号発生部１１からトランジスタ１３のベースにオン信号（ハイ信号）が発生すると、トランジスタ１３がオンし、電源Ｅから発光ダイオード１０３→抵抗１５→トランジスタ１３のコレクタ、エミッタ間を電流が流れ、フォトカプラ１０１の受光トランジスタ１０５がオフからオン動作し、電源Ｖ→抵抗７０→受光トランジスタ１０５のコレクタ、エミッタ間を電流が流れ、受光トランジスタ１０５のコレクタ電位Ｖａがハイからローに変化することを検出して入力信号のオンを判断する。
【０００８】
また、上記のように構成されたソース側のＩ／Ｆ回路を含む制御装置の動作を図１０（ｂ）によって説明する。まず、入力信号発生部１１からトランジスタ２３のベースにオン信号（ロー信号）が発生すると、トランジスタ２３がオンし、電源Ｅからトランジスタ２３のエミッタ、コレクタ間→発光ダイオード１０３に電流が流れフォトカプラ１０１の受光トランジスタ１０５のコレクタ電位Ｖａがハイからローに変化することを検出して入力信号のオンを判断する。
【０００９】
【発明が解決しようとする課題】
しかしながら、上記のような従来の制御装置のＩ／Ｆ回路では、シンク型とソース型との切換えに、入力Ｉ／Ｆ部１００の端子Ｔ１からＴ５の接続をジャンパー線１８、１９により接続し直なければならず煩雑であった。殊に、指令部１０、３０及び入力Ｉ／Ｆ部１００が多数から成る制御装置のＩ／Ｆ回路では、この煩雑さが増大するという問題点があった。
【００１０】
加えて、上記従来技術は、出力信号を発生させる出力Ｉ／Ｆ回路に関するシンク型とソース型との切換えには応用できないという問題点があった。
【００１１】
この発明は、上記課題を解決するためになされたもので、多数のシンク型Ｉ／Ｆ回路とソース型Ｉ／Ｆ回路との切換えを容易に実現できる制御装置のＩ／Ｆ回路を提供することを目的とするものである。
【００１２】
【課題を解決するための手段】
第１の発明に係る制御装置のインターフェイス回路は、入力信号のオン・オフで動作する発光ダイオードと、受光トランジスタとからなる光絶縁素子と、上記発光ダイオードに逆並列に接続される、直列接続された複数のダイオードを有し、シンク型又はソース型の入力のいずれでも上記発光ダイオードに電流を流すことができる半導体スイッチ手段と、シンク型の入力の一方が接続される第１の入力端子と、ソース型の入力の一方が接続される第２の入力端子と、シンク型およびソース型の入力の他方が接続される第３の入力端子と、シンク型の入力またはソース型の入力を選択する選択手段と、を備え、
選択手段は、シンク型の入力が第１の入力端子および第３の入力端子に接続される場合、第２の入力端子の接続を電気的に遮断して、半導体スイッチ手段を介して発光ダイオードに電流が流れるように導通すると共に、ソース型の入力が第２の入力端子および第３の入力端子に接続される場合、第１の入力端子の接続を電気的に遮断して、半導体スイッチ手段を介して発光ダイオードに流れるように導通するようにしたことを特徴とするものである。
【００１３】
第２の発明に係る制御装置のインターフェイス回路は、逆並列に接続した、入力信号のオン・オフで動作する複数の発光ダイオードと、受光トランジスタとからなる光絶縁素子と、上記シンク型の入力の一方が接続される第１の入力端子と、上記ソース型の入力の一方が接続される第２の入力端子と、上記シンク型およびソース型の入力の他方が接続される第３の入力端子と、シンク型の入力またはソース型の入力を選択する選択手段と、を備え、上記選択手段は、上記シンク型の入力が上記第１の入力端子および第３の入力端子に接続される場合、上記第２の入力端子の接続を電気的に遮断して、上記複数の発光ダイオードの一方を介して上記発光ダイオードに電流が流れるように導通すると共に、上記ソース型の入力が上記第２の入力端子および第３の入力端子に接続される場合、上記第１の入力端子の接続を電気的に遮断して、上記複数の発光ダイオードの他方を介して上記発光ダイオードに流れるように導通するようにしたことを特徴とするものである。
【００１４】
第３の発明に係る制御装置のインターフェイス回路は、発光ダイオードと受光トランジスタとからなる光絶縁素子と、発光ダイオードに逆並列に接続される、直列接続された複数のダイオードと、第１の入力端子を介して発光ダイオードのアノード側に接続された第１のスイッチと、第２の入力端子を介して発光ダイオードのカソード側に接続されると共に、第１のスイッチと逆論理で連動して動作する第２のスイッチと、直列接続された複数のダイオードの接続部に直接又は抵抗を介して接続された第３の入力端子とを備え、
シンク型の入力が第１の入力端子および第３の入力端子に接続される場合、この入力が第３の入力端子に接続され、電源の陽極側が第１の入力端子に接続され、第１のスイッチをオン、第２のスイッチをオフされると共に、ソース型の入力が第２の入力端子および第３の入力端子に接続される場合、この入力が第３の入力端子に接続され、電源の陰極側が第１の入力端子に接続され、第１のスイッチをオフ、第２のスイッチをオンされることを特徴とするものである。
【００１５】
【００１６】
第４の発明に係る制御装置のインターフェイス回路は、出力信号を発生するトランジスタと、このトランジスタの出力端子間に電流が流れるように接続されたダイオードブリッジと、このダイオードブリッジを構成するダイオードのアノードと他のダイオードのカソードとの接続点を少なくとも２つ有し、第１の接続点に接続された第１の出力端子と、第２の接続点に接続された第２の出力端子とを備え、
シンク型が接続される場合、第２の出力端子から第１の出力端子に向かって上記ダイオードブリッジに電流が流れると共に、ソース型が接続される場合、第１の出力端子から第２の出力端子に向かってダイオードブリッジに電流が流れるようにしたことを特徴とするものである。
【００１７】
【発明の実施の形態】
実施の形態１．
この発明の一実施の形態を図１及び図２に基づいて説明する。図１はシンク型の入力Ｉ／Ｆ回路を含む制御装置の結線図、図２はソース型の入力Ｉ／Ｆ回路を含む制御装置の結線図である。図１及び図２において、図中、従来と同一符号は、同一又は相当部分を示し、説明を省略する。
【００１８】
図１において、このＩ／Ｆの回路は、オン・オフの入力信号を発生する指令部２００と、入力Ｉ／Ｆ部５００とで構成されており、指令部２００は、オン・オフの入力信号を発生する入力信号発生部１１と、この入力信号発生部１１にベースが接続されたトランジスタ１３ａ、１３ｂ・・・１３ｎとから成り、トランジスタ１３ａ、１３ｂ・・・１３ｎはエミッタが接地され、コレクタが端子Ｔ８ａ、Ｔ８ｂ・・・Ｔ８ｎにそれぞれ接続されている。なお、電源Ｅは陽極が端子Ｔ７に接続されており、陰極が接地されている。
【００１９】
入力Ｉ／Ｆ部５００は、単一の受信部１００ａ、１００ｂ・・・１００ｎを複数備え、この受信部１００ａは、入力信号のオン・オフの条件に基づいてオン・オフするフォトカプラ１０１ａの発光ダイオード１０３ａと、発光ダイオード１０３ａと光結合された受光トランジスタ１０５ａと、半導体スイッチ手段としての二つのダイオード１０７ａ、１０９ａとを、備えている。シンク型又はソース型の入力のいずれでも発光ダイオード１０３ａに電流を流すことができるようにするために、発光ダイオード１０３ａの両端に、発光ダイオード１０３ａと逆極性に直列接続された半導体スイッチ手段としての二つのダイオード１０７ａ、１０９ａが接続されている。
【００２０】
この二つのダイオード１０７ａ、１０９ａの接続点が抵抗１５ａを介して第３の入力端子としての端子Ｔ３ａに接続されている。受光トランジスタ１０５ａはコレクタが抵抗７０ａを介して電源Ｖに接続され、エミッタが接地されており、コレクタの電位Ｖａのハイ・ローで受光トランジスタ１０５ａのオン・オフを判断するように構成されている。
【００２１】
常閉スイッチ１５０ａと連動して動作する常開スイッチ１５０ｂとから成る選択手段としてのスイッチ１５０は、常閉スイッチ１５０ａの一端が第１の入力端子としての端子Ｔ１に接続され、他端がダイオード１０８ａを介して発光ダイオード１０３ａのアノードに接続され、常開スイッチ１５０ｂの一端が第２の入力端子としての端子Ｔ２に接続され、他端がダイオード１１０ａを介して発光ダイオード１０３ａのカソードに接続されている。
【００２２】
なお、他の受信部１００ｂ・・・１００ｎは、受信部１００ａと同様な構成であるので、説明を省略する。
【００２３】
図２において、図中、入力Ｉ／Ｆ部は図１と同一構成であるので、説明を省略する。指令部３００は、入力信号発生部１１にベースが接続されたトランジスタ３３ａ、３３ｂ・・・３３ｎとから成り、トランジスタ３３ａ、３３ｂ・・・３３ｎはエミッタが抵抗３５ａ、３５ｂ・・・３５ｎを介して電源Ｅの陽極に接続され、コレクタが端子Ｔ８ａ、Ｔ８ｂ・・・Ｔ８ｎにそれぞれ接続されている。なお、電源Ｅの陰極が端子Ｔ７に接続されている。
【００２４】
上記のように構成された入力Ｉ／Ｆ回路を含む制御装置の動作を説明する。まず、入力のシンク型回路の動作を図１に基づいて説明する。スイッチ１５０は、常閉スイッチ１５０ａが閉成しており、常開スイッチ１５０ｂが開放しており、入力信号発生部１１からの信号はすべてオフになっていて、トランジスタ１３ａから１３ｎはすべてオフである。この状態において、発光ダイオード１０３ａ・・１０３ｎはオフであるから、受光トランジスタ１０５ａ・・１０５ｎもオフのままであるから、接続点Ｖａ、Ｖｂ・・・Ｖｎの電位はハイである。
【００２５】
次に、入力信号発生部１１は、トランジスタ１３ａのベースにオン信号を伝送し、トランジスタ１３ａがオンし、電源Ｅ→端子Ｔ７、Ｔ１→常閉スイッチ１５０ａ→ダイオード１０８ａ→発光ダイオード１０３ａ→ダイオード１０９ａ→抵抗１５ａ→端子Ｔ３ａ、Ｔ８ａ→トランジスタ１３ａのコレクタ、エミッタ間に電流が流れ、発光トランジスタ１０３ａがオフからオン動作し、受光トランジスタ１０５ａがオン動作して抵抗７０ａに電流が流れ、接続点Ｖａの電位ハイからローに変化することによって入力信号のオンを判断する。
【００２６】
もう一方のソース型の入力Ｉ／Ｆ回路の動作を図２に基づいて説明する。最初に、スイッチ１５０は、常閉スイッチ１５０ａが開放し、常開スイッチ１５０ｂが閉成しており、入力信号発生部１１からの信号はすべてオフになっているから、トランジスタ３３ａから３３ｎはすべてオフである。この状態において、発光ダイオード１０３ａ・・１０３ｎはオフであるから、受光トランジスタ１０５ａ・・１０５ｎもオフのままであるから、接続点Ｖａ、Ｖｂ・・・Ｖｎの電位はハイである。
【００２７】
次に、入力信号発生部１１は、トランジスタ３３ａのベースにオン信号を伝送し、トランジスタ３３ａがオンし、電流は、電源Ｅから抵抗３５ａを介してトランジスタ３３ａのエミッタ、コレクタ間に流れ、ダイオード１０７ａ→発光ダイオード１０３ａ→ダイオード１１０ａ→閉成している常開スイッチ１５０ｂ→端子Ｔ２、Ｔ７と電流が流れ、発光ダイオード１０３ａがオン動作し、受光トランジスタ１０５ａがオン動作して抵抗７０ａに電流が流れ、接続点Ｖａの電位ハイからローに変化することによって入力信号のオンを判断する。
【００２８】
なお、図１および図２の入力Ｉ／Ｆ回路は、指令部２００、３００に電源Ｅを備えていたが、図３及び図４に示すように入力Ｉ／Ｆ部５００に電源Ｅを備え、電源Ｅは陽極が入力端子Ｔ１に接続され、陰極が入力端子Ｔ２に接続しても上記実施の形態と同様の作用、効果を奏する。
【００２９】
また、図５および図６の入力Ｉ／Ｆ回路は、図１、図２と同様に、指令部２００、３００に電源Ｅを備え、スイッチ１５０の常閉スイッチ１５０ａ、常開スイッチ１５０ｂの代わりに、第１のダイオード１１５０ａのアノードおよび第２のダイオード１１５０ｂのカソードを端子Ｔ１に接続し、ダイオード１１５０ａのカソードをダイオード１０８ａのアノードに接続され、ダイオード１１５０ｂのアノードがダイオード１１０ａのカソードに接続しても良い。なお、第１のダイオード１１５０ａと第２のダイオード１１５０ｂとで、選択手段を形成している。
【００３０】
この実施の形態では、図１および図２に示す入力Ｉ／Ｆ回路のスイッチ１５０のような切換え動作をすることなく、ソース型からシンク型の切換えができる。
【００３１】
また、図７に示すように図１および図２に示すダイオード１０７ａ、１０９ａ、発光ダイオード１０３ａ、受光トランジスタ１０５ａの代わりに、発光ダイオード１０３ａ、１０４ａ、受光トランジスタ１０５ａに置換した構成でも良い。
【００３２】
実施の形態２．
この発明の、他の実施の形態を図８及び図９によって説明する。図８はシンク型の出力Ｉ／Ｆ回路を含む制御装置の結線図、図９はソース型の出力Ｉ／Ｆ回路を含む制御装置の結線図である。図８及び図９において、出力Ｉ／Ｆ回路を含む制御装置は、オン・オフさせる信号を発生させる出力Ｉ／Ｆ部４００と、出力Ｉ／Ｆ部４００の信号に基づいて駆動されるシンク型の駆動部６００またはソース型の駆動部７００とから成っている。
【００３３】
出力Ｉ／Ｆ部４００は、オン・オフ信号を発生する出力信号発生部５１と、複数の個別信号発生部３００ａ、３００ｂ・・・３００ｎとから成り、個別信号発生部３００ａは出力信号発生部５１のオン・オフ信号に基づいてオン・オフ動作するトランジスタ５３ａと、このトランジスタ５３ａのエミッタにアノード側を、コレクタにカソードを接続されたシンク型またはソース型のいずれでも流すように接続されたブリッジスイッチ手段としてのダイオード３５２ａ、３５４ａ、３５６ａ、３５８ａから成る全波整流ブリッジ３５０ａとから成る。また、この全波整流ブリッジ３５０ａの出力部が第１の出力端子Ｏａ、第２の出力端子Ｏ１に接続されている。
【００３４】
シンク型の駆動部６００は、複数の駆動部６００ａ、６００ｂ・・・６００ｎから成り、単一の駆動部６００ａは、フォトカプラ５０１ａの発光ダイオード５０３ａのカソード側が端子Ｄａに接続され、アノード側が抵抗５１５ａを介して電源Ｅに接続され、電源Ｅの陰極が端子Ｄ１に接続されている。フォトカプラ５０１ａの受光トランジスタ５０５ａはコレクタが抵抗５７０ａを介して電源Ｖに接続され、エミッタが接地されており、コレクタの電位Ｖａのハイ・ローで受光トランジスタ５０５ａのオン・オフを判断するように構成されている。なお、他の駆動部６００ｂ・・・６００ｎは、駆動部６００ａと同様な構成であるので、説明を省略する。
【００３５】
一方、ソース型の駆動部７００は、複数の駆動部７００ａ、７００ｂ・・・７００ｎから成り、単一の駆動部７００ａは、フォトカプラ５０１ａの発光ダイオード５０３ａのアノード側が抵抗５３５ａを介して端子Ｄａに接続され、カノード側が接地されている。電源Ｅは陰極が接地され、陽極が端子Ｄ１に接続されている。フォトカプラ５０１ａの受光トランジスタ５０５ａはコレクタが抵抗５７０ａを介して電源Ｖに接続され、エミッタが接地されており、コレクタの電位Ｖａのハイ・ローで受光トランジスタ５０５ａのオン・オフを判断するように構成されている。なお、他の駆動部７００ｂ・・・７００ｎは、駆動部７００ａと同様な構成であるので、説明を省略する。
【００３６】
次に、上記のように構成されたシンク型の出力Ｉ／Ｆ回路を含む制御装置の動作を図８に基づいて説明する。出力信号発生部５１は、トランジスタ５３ａのベースにオン信号（ハイ信号）を伝送し、トランジスタ５３ａがオンし、電源Ｅを介して電流は抵抗５１５ａ→発光ダイオード５０３ａ→端子Ｄａ、Ｏａ→ダイオード３５６ａ→トランジスタ５３ａのコレクタ、エミッタ間→ダイオード３５２ａ→端子Ｏ１、Ｄ１の循環によって電流が流れ、フォトカプラ５０１ａの受光トランジスタ５０５ａがオフからオン動作し、抵抗７０ａに電流が流れ、接続点Ｖａの電位ハイからローに変化することによって出力信号のオンを判断する。
【００３７】
また、上記のように構成されたソース型の出力Ｉ／Ｆ回路を含む制御装置の動作を図９に基づいて説明する。出力信号発生部５１は、トランジスタ５３ａのベースにオン信号（ハイ信号）を伝送し、トランジスタ５３ａがオンし、電源Ｅを介して電流は端子Ｄａ、Ｏａ→ダイオード３５４ａ→トランジスタ５３ａのコレクタ、エミッタ間→ダイオード３５８ａ→端子Ｏａ、Ｄａ→抵抗５３５ａを介して発光ダイオード５０３ａの循環によって電流が流れ、フォトカプラ５０１ａの受光トランジスタ５０５ａがオフからオン動作し、抵抗５７０ａに電流が流れ、接続点Ｖａの電位ハイからローに変化することによって出力信号のオンを判断する。
【００３８】
【発明の効果】
以上説明したように第１の発明によれば、シンク型又はソース型が入力されても、選択手段で切換えるのみ対応できるので、簡易な構成でシンク型およびソース型のＩ／Ｆ回路を得ることができるという効果がある。
【００３９】
第２の発明によれば、第１の発明の効果に加え、光絶縁素子に半導体スイッチ手段の機能を包含させたので、半導体スイッチ手段を削減できるので、簡易な構成でシンク型およびソース型のＩ／Ｆ回路を得ることができるという効果がある。
【００４０】
第３の発明によれば、第１のスイッチおよびこのスイッチに連動する第２のスイッチの一方のスイッチを動作させるのみで、シンク型およびソース型のＩ／Ｆ回路に、容易に対応することができるという効果がある。
【００４１】
【００４２】
第４の発明によれば、人為的手段を介さずに、ダイオードブリッジで、シンク型またはソース型を自動的選択することができるので、簡易な構成で両者のＩ／Ｆ回路を容易に得ることができるという効果がある。
【図面の簡単な説明】
【図１】この発明の実施の形態を示すシンク型の入力Ｉ／Ｆ回路を含む制御装置の結線図である。
【図２】この発明の実施の形態を示すソース型の入力Ｉ／Ｆ回路を含む制御装置の結線図である。
【図３】この発明の、他の実施の形態を示すシンク型の入力Ｉ／Ｆ回路を含む制御装置の結線図である。
【図４】この発明の、他の実施の形態を示すソース型の入力Ｉ／Ｆ回路を含む制御装置の結線図である。
【図５】この発明の、他の実施の形態を示すシンク型の入力Ｉ／Ｆ回路を含む制御装置の結線図である。
【図６】この発明の、他の実施の形態を示すソース型の入力Ｉ／Ｆ回路を含む制御装置の結線図である。
【図７】この発明の、他の実施の形態を示すシンク型の入力Ｉ／Ｆ回路を含む制御装置の結線図である。
【図８】この発明の実施の形態を示すシンク型の出力Ｉ／Ｆ回路を含む制御装置の結線図である。
【図９】この発明の実施の形態を示すソース型の出力Ｉ／Ｆ回路を含む制御装置の結線図である。
【図１０】従来の入力Ｉ／Ｆ回路を含む制御装置である。
【符号の説明】
１３ａ，１３ｂ，１３ｎ  トランジスタ、  ３３ａ，３３ｂ，３３ｎ  トランジスタ、  ３５ａ，３５ｂ，３５ｎ  抵抗、  ５３ａ，５３ｂ，５３ｎ  トランジスタ、  ７０ａ，７０ｂ，７０ｎ  抵抗、  １００ａ，１００ｂ，１００ｎ  受信部、  １０１ａ，１０１ｂ，１０１ｎ  光絶縁素子、  １０３ａ，１０３ｂ，１０３ｎ  発光ダイオード、  １０４ａ，１０４ｂ，１０４ｎ  発光ダイオード、  １０５ａ，１０５ｂ，１０５ｎ  受光トランジスタ、  １０７ａ、１０７ｂ，１０７ｎ  半導体スイッチ手段、  １０８ａ，１０８ｂ，１０８ｎ  ダイオード、  １０９ａ、１０９ｂ，１０９ｎ  半導体スイッチ手段、  １１０ａ，１１０ｂ，１１０ｎ  ダイオード、  ２００  指令部、  １５０  選択手段、  １５０ａ  常閉スイッチ、  １５０ｂ  常開スイッチ、  ３００  指令部、３００ａ，３００ｂ，３００ｎ  個別信号発生部、  ３５０ａ，３５０ｂ，３５０ｎ  ブリッジスイッチ手段、  ３５２ａ，３５２ｂ，３５２ｎ  ダイオード、  ３５４ａ，３５４ｂ，３５４ｎ  ダイオード、  ３５６ａ，３５６ｂ，３５６ｎ  ダイオード、  ３５８ａ，３５８ｂ，３５８ｎ  ダイオード、  ４００  出力Ｉ／Ｆ部、  ５００  入力Ｉ／Ｆ部、  ５０１ａ，５０１ｂ，５０１ｎ  フォトカプラ、  ５０３ａ，５０３ｂ，５０３ｎ  発光ダイオード、  ５０５ａ，５０５ｂ，５０５ｎ  受光トランジスタ、  ５１５ａ，５１５ｂ，５１５ｎ  抵抗、  ５３５ａ，５３５ｂ，５３５ｎ  抵抗、  ５７０ａ，５７０ｂ，５７０ｎ  抵抗、  ６００，６００ａ，６００ｂ，６００ｎ  駆動部、  ７００，７００ａ，７００ｂ，７００ｎ  駆動部、  １１５０ａ  第１のダイオード、  １１５０ｂ  第２のダイオード、  Ｔ１  第１の入力端子、  Ｔ２  第２の入力端子、  Ｔ３  第３の入力端子、  Ｔ３ａ，Ｔ３ｂ，Ｔ３ｎ  入力端子、  Ｔ７  端子、  Ｔ８ａ，Ｔ８ｂ，Ｔ８ｎ  端子、  Ｖａ，Ｖｂ，Ｖｎ  接続点、  Ｏ１  第１の出力端子、  Ｏａ，Ｏｂ，Ｏｎ  第２の出力端子  、  Ｄ１，Ｄａ，Ｄｂ，Ｄｎ  端子。
【図１】
0003564920.tif 000002
【図２】
0003564920.tif 000003
【図３】
0003564920.tif 000004
【図４】
0003564920.tif 000005
【図５】
0003564920.tif 000006
【図６】
0003564920.tif 000007
【図７】
0003564920.tif 000008
【図８】
0003564920.tif 000009
【図９】
0003564920.tif 000010
【図１０】
0003564920.tif 000011